(57)【要約】【課題】ユーザに対して、再生中のプレイリストとは異なるプレイリストへ誘導することが可能な、新規かつ改良された情報処理装置を提供する。【解決手段】複数のコンテンツを記憶するコンテンツ記憶部と、複数のコンテンツの少なくとも一部を関連付けた複数のプレイリストを記憶するプレイリスト記憶部と、プレイリスト記憶部に記憶されている複数のプレイリストのうち、第１のプレイリストに属する複数のコンテンツを順次再生する再生部と、再生部が再生中のコンテンツと関連する少なくとも１以上の候補コンテンツをコンテンツ記憶部から抽出する候補コンテンツ抽出部と、抽出された候補コンテンツが属する第２のプレイリストをプレイリスト記憶部から抽出するプレイリスト抽出部と、再生部が再生するプレイリストを、第１のプレイリストから第２のプレイリストに切り替えるプレイリスト切り替え部と、を備える情報処理装置が提供される。【選択図】図１
2010003368.tif 000002
【特許請求の範囲】
【請求項１】
複数のコンテンツを記憶するコンテンツ記憶部と、
前記複数のコンテンツの少なくとも一部を関連付けた複数のプレイリストを記憶するプレイリスト記憶部と、
前記プレイリスト記憶部に記憶されている複数のプレイリストのうち、第１のプレイリストに属する複数のコンテンツを順次再生する再生部と、
前記再生部が再生中のコンテンツと関連する少なくとも１以上の候補コンテンツを前記コンテンツ記憶部から抽出する候補コンテンツ抽出部と、
前記抽出された候補コンテンツが属する第２のプレイリストを前記プレイリスト記憶部から抽出するプレイリスト抽出部と、
前記再生部が再生するプレイリストを、前記第１のプレイリストから前記第２のプレイリストに切り替えるプレイリスト切り替え部と、
を備える情報処理装置。
【請求項２】
前記候補コンテンツを少なくとも表示する表示部をさらに備え、
前記プレイリスト切り替え部は、前記表示部に表示された前記候補コンテンツがユーザにより選択された場合に、前記再生部が再生するプレイリストを、前記第１のプレイリストから前記第２のプレイリストに切り替える、請求項１に記載の情報処理装置。
【請求項３】
前記再生部は、前記プレイリスト切り替え部によりプレイリストが切り替えられた場合、前記再生中のコンテンツの再生終了後に前記候補コンテンツの再生を開始する、請求項１または２に記載の情報処理装置。
【請求項４】
前記候補コンテンツ抽出部は、前記コンテンツの特徴量に基づいて前記候補コンテンツを抽出する、請求項１に記載の情報処理装置。
【請求項５】
前記候補コンテンツ抽出部は、前記再生中のコンテンツと特徴量の差分が大きいコンテンツを、前記候補コンテンツとして抽出する、請求項４に記載の情報処理装置。
【請求項６】
前記再生部により再生された複数のコンテンツの再生履歴を一覧表示する表示部をさらに備える、請求項１に記載の情報処理装置。
【請求項７】
前記再生部により再生された複数のコンテンツの再生履歴に基づいて、新しいプレイリストを生成する履歴プレイリスト生成部をさらに備える、請求項１に記載の情報処理装置。
【請求項８】
前記候補コンテンツ抽出部はさらに、前記再生部により過去に再生された１のコンテンツと関連する少なくとも１以上のコンテンツを履歴候補コンテンツとして、前記コンテンツ記憶部から抽出し、
前記プレイリスト抽出部は、前記履歴候補コンテンツが属する第３のプレイリストを前記プレイリスト記憶部から抽出し、
前記プレイリスト切り替え部は、前記再生部が再生するプレイリストを、前記第１のプレイリストから前記第３のプレイリストに切り替える、請求項１に記載の情報処理装置。
【請求項９】
前記候補コンテンツが、前記プレイリスト記憶部に記憶されているいずれのプレイリストにも属していない場合には、
前記候補コンテンツ抽出部は、前記いずれのプレイリストにも属していない候補コンテンツと関連する少なくとも１以上の別の候補コンテンツを前記コンテンツ記憶部から抽出し、
前記プレイリスト抽出部は、前記抽出された別の候補コンテンツが属する第４のプレイリストを前記プレイリスト記憶部から抽出し、
前記プレイリスト切り替え部は、前記再生部が再生するプレイリストを、前記第１のプレイリストから前記第４のプレイリストに切り替える、請求項１に記載の情報処理装置。
【請求項１０】
前記候補コンテンツが、前記プレイリスト記憶部に記憶されているいずれのプレイリストにも属していない場合には、
少なくとも前記候補コンテンツの特徴量に基づいて、前記候補コンテンツを含む複数のコンテンツを関連付けた第５のプレイリストを生成する新プレイリスト生成部をさらに備え、
前記プレイリスト切り替え部は、前記再生部が再生するプレイリストを、前記第１のプレイリストから前記第５のプレイリストに切り替える、請求項１に記載の情報処理装置。
【請求項１１】
前記新プレイリスト生成部は、前記候補コンテンツおよび前記再生部により過去に再生された少なくとも１以上のコンテンツの特徴量に基づいて、前記第５のプレイリストを生成する、請求項１０に記載の情報処理装置。
【請求項１２】
プレイリスト記憶部に記憶されている複数のプレイリストのうち、第１のプレイリストに属する複数のコンテンツを順次再生する再生ステップと、
コンテンツ記憶部に記憶されている複数のコンテンツから、再生中のコンテンツと関連する少なくとも１以上の候補コンテンツを抽出する候補コンテンツ抽出ステップと、
前記候補コンテンツが属する第２のプレイリストを、前記プレイリスト記憶部から抽出するプレイリスト抽出ステップと、
再生するプレイリストを、前記第１のプレイリストから前記第２のプレイリストに切り替える、プレイリスト切り替えステップと、
を含む、情報処理方法。
【請求項１３】
プレイリスト記憶部に記憶されている複数のプレイリストのうち、第１のプレイリストに属する複数のコンテンツを順次再生する再生処理と、
コンテンツ記憶部に記憶されている複数のコンテンツから、再生中のコンテンツと関連する少なくとも１以上の候補コンテンツを抽出する候補コンテンツ抽出処理と、
前記候補コンテンツが属する第２のプレイリストを、前記プレイリスト記憶部から抽出するプレイリスト抽出処理と、
再生するプレイリストを、前記第１のプレイリストから前記第２のプレイリストに切り替える、プレイリスト切り替え処理と、
をコンピュータに実行させる、情報処理プログラム。
【発明の詳細な説明】
【技術分野】
【０００１】
本発明は、情報処理装置、情報処理方法および情報処理プログラムに関する。
【背景技術】
【０００２】
大量の楽曲情報が収録される音楽プレイヤーは通常、ユーザが好みの楽曲を聴くことができるようにプレイリストを生成する機能を備えている。ユーザは、任意の楽曲を選択してプレイリストを生成することができる。また音楽プレイヤーが、楽曲に付加された、例えば、タイトル名、アーティスト名、ジャンル、発売年などの拡張情報に基づいて、自動でプレイリストを生成することもできる。
【０００３】
最近では、音楽プレイヤーは、楽曲に付加された拡張情報を利用することなく、例えば特許文献１のように楽曲のメタデータを分析し、分析結果から自動的にプレイリストを生成することもできる。特許文献１には、楽曲のメタデータを例えば、周波数特性、分布、周期などの判断基準に基づいて分析し、例えば、楽曲の雰囲気、ジャンルなどの特徴にしたがってプレイリストを生成する技術が開示されている。これにより、例えば、楽曲にアーティスト名等の拡張情報が付加されていない場合においても、音楽プレイヤーは自動でプレイリストを生成することができる。この結果ユーザは、アーティスト名などの拡張情報を音楽プレイヤーに入力する手間を省くことができる。
【０００４】
【特許文献１】特開２００３−３０２９８８号公報
【発明の開示】
【発明が解決しようとする課題】
【０００５】
しかし、従来の音楽プレイヤーは、一度プレイリストが生成されると、同じプレイリスト内の楽曲を順次再生する。したがって、再生中のプレイリストのすべての楽曲が再生終了してプレイリストが自動で切り替わるか、もしくはユーザが手動でプレイリストを切り替えなければ、別のプレイリストが再生される機会は少ない。したがって、ユーザは、一度あるプレイリストを聴き始めると、他のプレイリストへ切り替える契機が薄く、複数のプレイリスト間に存在する楽曲を聴く機会が少なくなってしまうという問題があった。
【０００６】
そこで、本発明は、上記問題に鑑みてなされたものであり、本発明の目的とするところは、ユーザに対して、再生中のプレイリストとは異なるプレイリストへ誘導することが可能な、新規かつ改良された情報処理装置を提供することにある。
【課題を解決するための手段】
【０００７】
上記課題を解決するために、本発明のある観点によれば、複数のコンテンツを記憶するコンテンツ記憶部と、前記複数のコンテンツの少なくとも一部を関連付けた複数のプレイリストを記憶するプレイリスト記憶部と、前記プレイリスト記憶部に記憶されている複数のプレイリストのうち、第１のプレイリストに属する複数のコンテンツを順次再生する再生部と、前記再生部が再生中のコンテンツと関連する少なくとも１以上の候補コンテンツを前記コンテンツ記憶部から抽出する候補コンテンツ抽出部と、前記抽出された候補コンテンツが属する第２のプレイリストを前記プレイリスト記憶部から抽出するプレイリスト抽出部と、前記再生部が再生するプレイリストを、前記第１のプレイリストから前記第２のプレイリストに切り替えるプレイリスト切り替え部と、を備える情報処理装置が提供される。
【０００８】
かかる構成によれば、候補楽曲抽出部は、再生部が再生中のコンテンツに関連する候補コンテンツをコンテンツ記憶部から抽出することができる。またプレイリスト抽出部は、前記抽出された候補コンテンツが属する第２のプレイリストをプレイリスト記憶部から抽出することができる。またプレイリスト切り替え部は、再生部が再生するプレイリストを、再生中の第１のプレイリストから第２のプレイリストに切り替えることができる。
【０００９】
情報処理装置はまた、前記候補コンテンツを少なくとも表示する表示部をさらに備え、前記プレイリスト切り替え部は、前記表示部に表示された前記候補コンテンツがユーザにより選択された場合に、前記再生部が再生するプレイリストを、前記第１のプレイリストから前記第２のプレイリストに切り替えることもできる。
【００１０】
また、前記再生部は、前記プレイリスト切り替え部によりプレイリストが切り替えられた場合、前記再生中のコンテンツの再生終了後に前記候補コンテンツの再生を開始することもできる。
【００１１】
また、前記候補コンテンツ抽出部は、前記コンテンツの特徴量に基づいて前記候補コンテンツを抽出することもできる。
【００１２】
また、前記候補コンテンツ抽出部は、前記再生中のコンテンツと特徴量の差分が大きいコンテンツを、前記候補コンテンツとして抽出することもできる。
【００１３】
情報処理装置はまた、前記再生部により再生された複数のコンテンツの再生履歴を一覧表示する表示部をさらに備えることもできる。
【００１４】
情報処理装置はまた、前記再生部により再生された複数のコンテンツの再生履歴に基づいて、新しいプレイリストを生成する履歴プレイリスト生成部をさらに備えることもできる。
【００１５】
前記候補コンテンツ抽出部はさらに、前記再生部により過去に再生された１のコンテンツと関連する少なくとも１以上のコンテンツを履歴候補コンテンツとして、前記コンテンツ記憶部から抽出し、前記プレイリスト抽出部は、前記履歴候補コンテンツが属する第３のプレイリストを前記プレイリスト記憶部から抽出し、前記プレイリスト切り替え部は、前記再生部が再生するプレイリストを、前記第１のプレイリストから前記第３のプレイリストに切り替えることもできる。
【００１６】
また、前記候補コンテンツが、前記プレイリスト記憶部に記憶されているいずれのプレイリストにも属していない場合には、前記候補コンテンツ抽出部は、前記いずれのプレイリストにも属していない候補コンテンツと関連する少なくとも１以上の別の候補コンテンツを前記コンテンツ記憶部から抽出し、前記プレイリスト抽出部は、前記抽出された別の候補コンテンツが属する第４のプレイリストを前記プレイリスト記憶部から抽出し、前記プレイリスト切り替え部は、前記再生部が再生するプレイリストを、前記第１のプレイリストから前記第４のプレイリストに切り替えることもできる。
【００１７】
情報処理装置はまた、前記候補コンテンツが、前記プレイリスト記憶部に記憶されているいずれのプレイリストにも属していない場合には、少なくとも前記候補コンテンツの特徴量に基づいて、前記候補コンテンツを含む複数のコンテンツを関連付けた第５のプレイリストを生成する新プレイリスト生成部をさらに備え、前記プレイリスト切り替え部は、前記再生部が再生するプレイリストを、前記第１のプレイリストから前記第５のプレイリストに切り替えることもできる。
【００１８】
また、前記新プレイリスト生成部は、前記候補コンテンツおよび前記再生部により過去に再生された少なくとも１以上のコンテンツの特徴量に基づいて、前記第５のプレイリストを生成することもできる。
【発明の効果】
【００１９】
以上説明したように本発明によれば、ユーザに対して、再生中のプレイリストとは異なるプレイリストへ誘導することが可能な、新規かつ改良された情報処理装置、情報処理方法および情報処理装置に用いられるプログラムを提供することにある。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
なお、以下の実施形態においては、情報処理装置として、複数の楽曲情報（コンテンツ）が収録された音楽プレイヤーを中心に説明するが、本発明はこれに限定されるものではない。例えば、ラジオ放送、ニュース情報、動画情報などの楽曲情報以外の様々なコンテンツを収録している場合にも適用することができる。また、種々のコンテンツを記憶・処理することができ情報処理装置、例えば、パーソナルコンピュータ、ＰＤＡ（Ｐｅｒｓｏｎａｌ  Ｄｉｇｉｔａｌ  Ａｓｓｉｓｔａｎｔｓ）、携帯電話、テレビゲーム装置などに適用することもできる。
【００２２】
（第１実施形態）
（情報処理装置１００の構成）
まず、本発明の第１実施形態に係る情報処理装置１００の機能構成について説明する。図１は、第１実施形態に係る情報処理装置１００の機能ブロック図である。
【００２３】
図１に示すように、本実施形態に係る情報処理装置１００は主に、楽曲データベース１０２、プレイリストデータベース１０４、特徴量解析部１０６、プレイリスト分類部１０８、楽曲再生部１１０、表示部１１２、再生候補抽出部１１４、プレイリスト切り替え部１１６を含む。
【００２４】
楽曲データベース１０２は、楽曲データをファイル形式にした楽曲ファイルが保存されるものであり、コンテンツ記憶部として機能する。楽曲ファイルは、楽曲を例えば、ＭＰ３、ＡＴＲＡＣ等の規格でエンコードしたものである。ユーザは、例えば、ＣＤ（Ｃｏｍｐａｃｔ  Ｄｉｓｃ）、ＷＥＢ（Ｗｏｒｌｄ  Ｗｉｄｅ  Ｗｅｂ）などから楽曲ファイルをダウンロード等することにより、楽曲データを楽曲データベース１０２に保存することができる。楽曲ファイルには、楽曲の他に、当該楽曲を歌ったり演奏したりするアーティスト名、当該楽曲が収録されているシングルまたはアルバム名、再生時間、作詞者名、作曲者名、発売年、ジャンル等の楽曲に関する基本情報が、拡張情報として付加されている。このような拡張情報は通常、楽曲製作者等が楽曲の製作時等に付加することができる。また、ユーザは、情報処理装置１００の操作入力部（図示せず）を介して、直接拡張情報を入力・更新することも可能である。
【００２５】
プレイリストデータベース１０４は、少なくとも１以上の楽曲を関連付けたプレイリストが保存されるものであり、プレイリスト記憶部として機能する。ここで、プレイリストとは、種々の観点から少なくとも１以上の楽曲を選曲して１つのグループとして関連付けた情報をいう。プレイリストは、本実施形態に係る情報処理装置１００によって種々の観点で生成されることができる。例えば、後述するプレイリスト分類部１０８は、拡張情報に基づいて、複数の楽曲ファイルを例えば、アーティスト名毎、アルバム名毎、発売年毎などに分類してプレイリストを生成することができる。また、後述する特徴量解析部１０６による楽曲ファイルの特徴量解析結果に基づいて、プレイリスト分類部１０８が複数の楽曲ファイルをそれぞれ最適なプレイリストに分類することもできる。さらに、ユーザが情報処理装置１００の操作入力部を介して好みの楽曲を選曲することにより、ユーザ独自のプレイリストを生成することも可能である。
【００２６】
特徴量解析部１０６は、楽曲データベース１０２に保存されている楽曲の特徴量を解析する。「特徴量」とは、コンテンツの特徴を数値化したものであり、楽曲を構成するメタデータの解析結果に基づいて決定される当該楽曲自体の特徴（ジャンル、雰囲気）を表す。特徴量解析部１０６は、例えば特開２００３−３０２９８８号公報で公開されている技術を用いて、楽曲の特徴量を解析することができる。特徴量解析部１０６は、楽曲を構成するメタデータを解析することにより、例えば、周波数特性、分布、周期、ビード、コード、曲構造などの特徴量を検出することができる。特徴量解析部１０６は、解析結果の情報を当該楽曲ファイルに付加しておく。この結果、本実施形態に係る情報処理装置１００は、例えば、アーティスト名、アルバム名、発売年などの拡張情報を有していない楽曲ファイルに対しても、特徴量に基づいて自動でプレイリストを生成することが可能である。
【００２７】
プレイリスト分類部１０８は、楽曲データベース１０２に保存されている楽曲を任意のプレイリストに分類し、または楽曲データベース１０２に保存されている複数の楽曲を関連付けた新しいプレイリストを生成する。プレイリスト分類部１０６は、例えば、楽曲ファイルに付加されている拡張情報に基づいてプレイリストを生成等することができる。拡張情報には例えば、アーティスト名、アルバム名、発売年等の情報が含まれている。したがって、プレイリスト分類部１０６は、複数の楽曲ファイルを例えば、アーティスト名毎、アルバム名毎、発売年毎などに分類してプレイリストを生成することができる。プレイリスト分類部１０８はまた、上述された特徴量解析部１０６により解析された特徴量に基づいてプレイリストを生成等することもできる。すなわち、拡張情報を有していない楽曲ファイルに対しても、特徴量解析結果に基づいて、プレイリストを生成等することができる。プレイリスト分類部１０８はさらに、ユーザによる入力情報に基づいて楽曲を所定のプレイリストに分類し、または複数の楽曲を関連付けた新しいプレイリストを生成することもできる。すなわち、ユーザが報処理装置１００の操作入力部（図示せず）を介して好みの楽曲を選択することにより、プレイリスト分類部１０８は、ユーザの入力情報に基づいてプレイリストを生成等することができる。したがって、ユーザは、楽曲の特徴、アーティスト名などに関わらず、自分の好きな複数の楽曲を関連付けたプレイリストを生成することも可能である。
【００２８】
このように、本実施形態に係る情報処理装置１００は、楽曲データベース１０２に保存されている楽曲ファイルを所定のプレイリストに分類し、または複数の楽曲を関連付けた新しいプレイリストを生成することができる。なお、どのような観点からプレイリストを生成等するかは、プレイリスト分類部１０８が自動で決定することも、ユーザが任意に選択することもできる。また、プレイリストへの分類、プレイリストの生成に関する上記の説明は、本実施形態を説明する上での一例であり、これに限定されるものではない。例えば、拡張情報は、レコード会社、邦楽、洋楽などの上記事項以外の拡張情報を含むことも可能である。
【００２９】
楽曲再生部１１０は、楽曲データベース１０２に保存されている楽曲を、音声出力部（図示せず）を介して音声出力するものであり、再生部として機能する。楽曲再生部１１０は、ユーザにより例えば、再生ボタンなどの操作入力部（図示せず）が押された場合に、楽曲の再生を開始する。また、再生中の楽曲があるプレイリストに属している場合には、当該プレイリストに含まれている楽曲を順次再生する。なお、本実施形態において再生部１１０が再生中のプレイリストは、本発明の第１のプレイリストに相当するものである。
【００３０】
表示部１１２は、楽曲再生部１１０が再生している楽曲の拡張情報、ジャケット写真、プレイリスト名などを表示するものである。表示部１１２は、例えばＣＲＴ（Ｃａｔｈｏｄｅ  Ｒａｙ  Ｔｕｂｅ）、液晶表示装置、有機ＥＬ（Ｅｌｅｃｔｒｏｌｕｍｉｎｅｓｃｅｎｃｅ）表示装置等からなる。表示部１１２はまた、例えばタッチパネル機能を備えることもでき、ユーザからの各種入力を受け付ける操作入力部としての機能を備えることもできる。
【００３１】
再生候補抽出部１１４は、主に候補楽曲抽出部１１８と、プレイリスト抽出部１２０とを含んで構成される。候補楽曲抽出部１１８は、楽曲再生部１１０が再生中の楽曲の次に再生する楽曲の候補を、候補楽曲として楽曲データベース１０２から抽出する。なお、候補楽曲抽出部１１８は、本発明の候補コンテンツ抽出部として機能するものである。プレイリスト抽出部１２０は、候補楽曲抽出部１１８が抽出した候補楽曲が属するプレイリストを候補プレイリストとして、プレイリストデータベース１０４から抽出するものである。なお、本実施形態においてプレイリスト抽出部１２０が抽出した候補プレイリストは、本発明の第２のプレイリストに相当するものである。また、「候補楽曲」とは、再生中の楽曲と関連し、かつ再生中の楽曲が属するプレイリストに属していない楽曲を意味する。また再生候補抽出部１１４は、候補楽曲および当該候補楽曲が属する候補プレイリストを表示部１１２に通知する。これにより、表示部１１２は、再生中の楽曲に関する情報のみならず、再生候補抽出部１１４により抽出された候補楽曲および候補プレイリストを表示することができる。この結果ユーザは、現在再生中の楽曲が属しているプレイリスト（第１のプレイリスト）のみではなく、現在再生中の楽曲と関連する楽曲が属している別のプレイリスト（第２のプレイリスト）を、視覚的に認識することができる。なお、候補楽曲抽出部１１８による候補楽曲の抽出例および表示部１１２による表示例は後述される。
【００３２】
プレイリスト切り替え部１１６は、楽曲再生部１１０が再生するプレイリストを、現在再生中のプレイリスト（第１のプレイリスト）からプレイリスト抽出部１２０が抽出した候補プレイリスト（第２のプレイリスト）に切り替えるものである。プレイリスト切り替え部１１６は、例えば、楽曲再生部１１０が同一のプレイリストを所定時間再生した場合に、自動的に候補プレイリストに切り替えることができる。プレイリスト切り替え部１１６はまた、例えば、ユーザが操作入力部などを介して、楽曲再生部１１０が再生する次の曲として候補楽曲抽出部１１８により抽出された候補楽曲を選択した場合に、候補プレイリストに切り替えることもできる。なお、プレイリスト切り替え部１１６による候補プレイリストへの切り替えについては以下の動作例において詳述される。
【００３３】
以上第１実施形態に係る情報処理装置１００の機能構成について説明した。次に本実施形態に係る情報処理装置１００のプレイリストの切り替えの動作例について説明する。
【００３４】
（プレイリスト切り替えの動作例）
図２は、楽曲再生部１１０によるプレイリストの再生および候補楽曲抽出部１１８による候補楽曲の抽出の一例を説明する概念図である。
【００３５】
図２に示すように、楽曲再生部１１０は、現在楽曲Ａ３を再生中である。楽曲Ａ３は、プレイリストＡに属している。プレイリストＡは、楽曲Ａ３の他に楽曲Ａ１、Ａ２、Ａ４、Ａ５、Ａ６などを含んでいる。従って楽曲再生部１１０は、本来楽曲Ａ３の再生終了後には、楽曲Ａ４、Ａ５、Ａ６と順次プレイリストＡに属している楽曲を再生していく。ここで本実施形態に係る情報処理装置１００は、上述されたように、候補楽曲抽出部１１８が、楽曲再生部１１０が再生中の楽曲に関連する少なくとも１以上の候補楽曲を楽曲データベース１０２から抽出する。図２に示す例では、候補楽曲抽出部１１８は、現在再生中の楽曲Ａ３に関連する楽曲Ｂ１およびＣ１を抽出している。また上述したように、抽出された候補楽曲Ｂ１およびＣ１は、表示部１１２によって再生中の楽曲Ａ３および次に再生される予定の楽曲Ａ４とともに表示されることができる。これにより、ユーザは、現在再生中の楽曲Ａ３の次に再生される楽曲Ａ４のほかに、再生中の楽曲Ａ３と関連する楽曲Ｂ１およびＣ１を視覚的に認識することができる。
【００３６】
候補楽曲抽出部１１８は、候補楽曲を種々の観点から抽出することができる。候補楽曲抽出部１１８は、例えば、特徴量解析部１０６による特徴量解析結果に基づいて、再生中の楽曲Ａ３に関連する楽曲を候補楽曲として抽出することができる。候補楽曲抽出部１１８は、例えば、楽曲Ａ３の特徴量と類似する特徴量を有する楽曲を候補楽曲として抽出することができる。図２に示す例で説明すると、プレイリストＡは例えば、拡張情報の１つであるアーティスト名を基準として、プレイリスト分類部１０８により生成されることがある。このような場合においても、候補楽曲抽出部１１８は、楽曲Ａ３とは異なるアーティストの楽曲であるが、再生中の楽曲Ａ３と特徴量が類似する楽曲Ｂ１、Ｃ１などを候補楽曲として抽出することができる。これにより、ユーザは、現在再生中の楽曲Ａ３と曲の雰囲気やジャンルが近いにも関わらず、別のプレイリストに属している楽曲Ｂ１またはＣ１を次に再生する楽曲として選択することができる。すなわち、情報処理装置１００は、ユーザに対して、現在再生中の楽曲Ａ３と曲の雰囲気やジャンルが類似する楽曲Ｂ１またはＣ１を含む別のプレイリストを聴く機会を提供することができる。
【００３７】
候補楽曲抽出部１１８は、逆に楽曲Ａ３の特徴量と大きく異なる特徴量を有する楽曲を候補楽曲として抽出することもできる。これにより、情報処理装置１００は、ユーザに対して、現在再生中の楽曲Ａ３と曲の雰囲気やジャンルが大きく異なる楽曲を含む別のプレイリストを聴く機会を提供することもできる。候補楽曲抽出部１１８が、どのような特徴量を有する楽曲を候補楽曲として抽出するかは、自動またはユーザによる設定により任意に変更することができる。たとえば、候補楽曲として、再生中の楽曲Ａ３と特徴量が類似する楽曲Ｂ１と、再生中の楽曲Ａ３と特徴量が大きくことなる楽曲Ｃ１との両方を抽出し、ユーザに選択の機会を提供することも可能である。
【００３８】
候補楽曲抽出部１１８はまた、楽曲の拡張情報に基づいて、再生中の楽曲Ａ３に関連する楽曲を候補楽曲として抽出することもできる。図２に示す例で説明すると、プレイリストＡは例えば、特徴量解析部１０６によって検出された特徴量（楽曲の雰囲気やジャンル）に基づいて、生成されることがある。このような場合においても、候補楽曲抽出部１１８は、特徴量の関連性は低いが、再生中の楽曲Ａ３と同一のアーティスト名である楽曲Ｂ１、Ｃ１などを候補楽曲として抽出することもできる。
【００３９】
候補楽曲抽出部１１８はさらに、楽曲の拡張情報および特徴量解析部１０６による特徴量解析結果に基づいて、再生中の楽曲Ａ３に関連する楽曲を候補楽曲として抽出することもできる。図２に示す例で説明すると、プレイリストＡは例えば、楽曲のジャンル、アーティスト名等に関わらず、ユーザが操作入力部を介して好みの楽曲を選択することにより生成されることがある。このような場合においても、候補楽曲抽出部１１８は、再生中の楽曲Ａ３と特徴量が近く、かつ同一のアーティスト名である楽曲Ｂ１、Ｃ１などを候補楽曲として抽出することができる。
【００４０】
このように候補楽曲抽出部１１８は、種々の観点から候補楽曲を抽出することができる。なお、図２に示す例は、本実施形態を説明する上での一例であり、これに限定されるものではない。例えば、候補楽曲抽出部１１８は、３以上の候補楽曲を抽出することも当然に可能である。
【００４１】
次にユーザが表示部１１２に表示された候補楽曲Ｂ１を選択した場合の動作例について説明する。図３は、ユーザがタッチパネル、操作ボタンなどの操作入力部を介して、候補楽曲Ｂ１を選択した場合のプレイリストの切り替えの一例を示す説明図である。
【００４２】
楽曲Ａ３が再生中に、ユーザが操作入力部を介して候補楽曲Ｂ１を次曲候補として選択した場合、楽曲再生部１１０は、楽曲Ａ３の再生終了後に楽曲Ｂ１を再生することとなる。ここで、楽曲Ｂ１は、楽曲Ｂ２、Ｂ３なども含んで構成されるプレイリストＢに属している。したがって、プレイリスト切り替え部１１６は、楽曲再生部１１０が再生するプレイリストを、プレイリストＡからプレイリストＢに切り替える。したがって、楽曲再生部１１０は、楽曲Ａ３の再生終了後、またはユーザが曲送りなどの操作入力をした場合に、プレイリストＢに属する楽曲Ｂ１、Ｂ２、Ｂ３などを順次再生していく。この結果ユーザは、楽曲Ａ３と関連する楽曲Ｂ１が属するプレイリストＢを聴くことができる。すなわち、本実施形態に係る情報処理装置１００は、ユーザに対して、再生中のプレイリストＡから異なるプレイリストＢへ誘導することが可能である。
【００４３】
その後、楽曲再生部１１０がプレイリストＢを再生中に、ユーザが別の候補楽曲を選択した場合には、同様にプレイリスト切り替え部１１６が、当該候補楽曲が属するプレイリストに切り替えることにより、楽曲再生部１１０は切り替え後のプレイリストを再生する。例えば、候補楽曲抽出部１１８は、図４に示すように、プレイリストＢに属する楽曲Ｂ３を再生中には、候補楽曲としてＤ１およびＥ１を抽出する。その後ユーザにより次曲候補として候補楽曲Ｅ１が選択された場合、プレイリスト切り替え部１１６は、図５に示すように、楽曲再生部１１０が再生するプレイリストを、プレイリストＢからプレイリストＥに切り替える。したがって、楽曲再生部１１０は、楽曲Ｂ３の再生終了後には、プレイリストＥに属する楽曲Ｅ１、Ｅ２、Ｅ３などを順次再生していく。
【００４４】
以上本実施形態に係る情報処理装置１００のプレイリストの切り替え動作について図２〜５を参照にして説明した。このように、本実施形態に係る情報処理装置１００は、プレイリストを動的に切り替えて再生することができ、ユーザに対して異なるプレイリストへ自然に誘導することが可能である。
【００４５】
（表示部１１２の表示例）
次に表示部１１２における、再生中の楽曲および次曲候補として抽出された候補楽曲の表示例について説明する。図６は、楽曲再生部１１０が再生中の楽曲および候補楽曲抽出部１１８により抽出された候補楽曲を表示する表示部１１２の表示の一例を示す説明図である。
【００４６】
図６に示すように、表示部１１２はＧＵＩ（Ｇｒａｐｈｉｃａｌ  Ｕｓｅｒ  Ｉｎｔｅｒｆａｃｅ）を利用した表示機能を備える。表示部１１２は主に、再生楽曲表示部６０２と、次曲候補表示部６０４と、次曲候補選択部６０６とを含む。再生楽曲表示部６０２は、楽曲再生部１１０が再生中の楽曲の情報を表示する。次曲候補表示部６０４は、楽曲再生部１１０が次に再生する楽曲の情報を表示する。次曲候補選択部６０６は、楽曲再生部１１０が次に再生する候補楽曲の情報を表示する。
【００４７】
図６に示す例では、再生楽曲表示部６０２は、楽曲再生部１１０が再生中の楽曲Ａ１のジャケット写真および拡張情報を表示している。これによりユーザは、現在再生されている楽曲Ａ１を視覚的に認識することができる。また、次曲候補表示部６０４は、再生中の楽曲Ａ１と同じプレイリストＡに属し、楽曲Ａ１の次に再生される予定の楽曲Ａ２のジャケット写真および楽曲情報を表示している。これによりユーザは、次に再生される予定の楽曲Ａ２を視覚的に認識することができる。次曲候補選択部６０６は、楽曲Ａ１の次に再生される予定の楽曲Ａ２と、候補楽曲抽出部１１８により抽出された候補楽曲Ｂ１およびＣ１の楽曲名を表示している。これによりユーザは、次に再生することができる候補楽曲を視覚的に認識することができる。図６に示す例では、現在「ＴＨＥ  ＦＲＥＥＬＡＮ」というアーティストの「Ｃａｓｔｌｅ」という楽曲が再生中であり、次に「Ｌｉｏｎ  Ｑｕｅｅｎ」というアーティストの「Ａｆｒｉｃａｎ  ｓｏｎｇ」という楽曲が再生される予定であることを、ユーザは視覚的に認識することができる。また、次曲には、「Ａｆｒｉｃａｎ  ｓｏｎｇ」の代わりに、別のプレイリストに属する候補楽曲Ｂ１、Ｃ１を選択することができることを、ユーザは視覚的に認識することができる。
【００４８】
なお、図６は、表示部１１２の表示例を説明する上での一例であり、これに限定されるものではない。例えば、再生楽曲表示部６０２と、次曲候補表示部６０４と、次曲候補選択部６０６とを、図６とは異なる位置に配置することも当然に可能である。また、再生楽曲表示部６０２および次曲候補表示部６０４は、ジャケット写真のみを表示することや、ジャンル、作曲者名、再生時間などの他の拡張情報を表示することも当然に可能である。さらに、次曲候補選択部６０６は、楽曲名のみならずジャケット写真を表示することも当然に可能である。さらに表示部１１２は、例えば操作入力部を介したユーザの操作により、特定の画面を拡大（ズームイン）または縮小（ズームアウト）して表示することもできる。例えば、図６に示す、候補楽曲選択部６０６の表示部をズームインして表示することなどもできる。
【００４９】
次にユーザが表示部１１２の次曲候補選択部６０６に表示された候補楽曲を選択した場合の表示例について説明する。図７は、ユーザが次曲候補選択部６０６に表示された候補楽曲Ｂ１を選択した場合の表示部１１２の表示例の一例を示す説明図である。
【００５０】
ユーザが、例えば、タッチパネル、操作ボタンなどの操作入力部を介して次曲候補選択部６０６に表示されている候補楽曲Ｂ１を選択した場合、上述したように楽曲再生部１１０は、楽曲Ａ１の再生終了後に楽曲Ｂ１を再生することとなる。このとき次曲候補表示部６０４は、これまで表示していた楽曲Ａ２のジャケット写真から、ユーザにより選択された候補楽曲Ｂ１のジャケット写真に表示を切り替える。これにより、次に「Ｂｌｕｅ  Ｇｉｒｌｓ」というアーティストの「Ｐｉｃｎｉｃ」という楽曲が再生される予定であることを、ユーザは視覚的に認識することができる。
【００５１】
その後楽曲Ａ１の再生が終了し、楽曲再生部１１０が楽曲Ｂ１の再生を開始すると、表示部１１２は、図８のように表示を変更する。図８に示すように、再生楽曲表示部６０２は、楽曲Ａ１のジャケット写真から、楽曲再生部１１０が再生中の楽曲Ｂ１のジャケット写真に表示を切り替える。このとき、上述されたように、プレイリスト切り替え部１１６は、楽曲再生部１１０が再生するプレイリストを楽曲Ａ１が属しているプレイリストＡから、楽曲Ｂ１が属しているプレイリストＢへ切り替える。その結果、楽曲再生部１１０は楽曲Ｂ１の再生終了後には、プレイリストＢに属する楽曲Ｂ２を再生することとなる。したがって、次曲候補表示部６０４は、図８に示すように、楽曲Ｂ１の次に再生される予定の楽曲Ｂ２のジャケット写真を表示している。さらにこのとき、上述されたように、候補楽曲抽出部１１８は、楽曲再生部１１０が再生中の楽曲Ｂ１に関連する候補楽曲Ｄ１およびＥ１を抽出する。したがって、次曲候補選択部６０６は、次に再生される予定の楽曲Ｂ２と、候補楽曲抽出部１１８により抽出された候補楽曲Ｄ１およびＥ１の楽曲名を表示している。これにより、現在「Ｂｌｕｅ  Ｇｉｒｌｓ」というアーティストの「Ｐｉｃｎｉｃ」という楽曲が再生中であり、次に「Ｓｕｚｕｋｉ  Ｔａｒｏｕ」というアーティストの「ＬＯＶＥ」という楽曲が再生される予定であることを、ユーザは視覚的に認識することができる。また、次曲には、「ＬＯＶＥ」の代わりに、別のプレイリストに属する候補楽曲Ｄ１、Ｅ１を選択することができることを、ユーザは視覚的に認識することができる。
【００５２】
図９は、表示部１１２による別の表示例を示す説明図である。本実施形態に係る表示部１１２は、例えばサムネール表示モードを備え、ユーザは、操作入力部を介して当該サムネール表示モードを選択することができる。このとき、表示部１１２は、再生中のプレイリストおよび候補楽曲の属するプレイリストなどをサムネール表示することができる。例えば図９に示す例では、表示部１１２は、現在再生中のプレイリストＡに含まれる楽曲Ａ１〜Ａ６を横一列にサムネール表示している。さらに表示部１１２は、再生中の楽曲Ａ１に関連する候補楽曲Ｂ１およびＣ１がそれぞれ属するプレイリストＢおよびプレイリストＣに含まれる楽曲Ｂ１〜Ｂ５およびＣ１〜Ｃ５をそれぞれ横一列にサムネール表示している。これにより、ユーザは、現在再生中のプレイリストで再生される今後の楽曲と、候補楽曲Ｂ１またはＣ１を選択した場合に今後再生される楽曲を視覚的に認識することが可能である。なお、図９に示す例では、サムネール表示として楽曲名のみを表示しているが、これに限定されるものではない。例えば、ジャケット写真、アーティスト名、ジャンル等の拡張情報も併せてサムネール表示することは当然に可能である。また、プレイリストに属する楽曲数などに応じて、表示部１１２は、自動的またはユーザによる操作により拡大または縮小表示することも可能である。
【００５３】
以上説明したように、第１実施形態に係る情報処理装置１００は、再生中の楽曲に関連し、かつ再生中の楽曲のプレイリストに属していない楽曲を候補楽曲として抽出し、表示部を介してユーザに認識させることができる。さらに第１実施形態に係る情報処理装置１００は、ユーザが候補楽曲を選択した場合、これまでに再生していたプレイリストから、候補楽曲が属しているプレイリストに切り替えることができる。すなわち、第１実施形態に係る情報処理装置１００は、ユーザに対して、再生中のプレイリストとは異なるプレイリストへ誘導することが可能である。
【００５４】
（第２実施形態）
第２実施形態に係る情報処理装置２００は、楽曲再生部１１０が再生した楽曲を再生履歴として管理し、当該再生履歴に基づいてプレイリスト切り替え、プレイリスト生成などをする点で、第１実施形態に係る情報処理装置１００と異なる。したがって、この相違点を中心に以下説明する。
【００５５】
図１０は、第２実施形態に係る情報処理装置２００の機能構成を説明する機能ブロック図である。なお、楽曲データベース１０２に保存されている楽曲ファイルに基づいてプレイリストを生成等するための特徴量解析部１０６およびプレイリスト分類部１０８については、第１実施形態に係る情報処理装置１００と同一であるため、図１０においては省略されている。
【００５６】
図１０に示すように、第２実施形態に係る情報処理装置２００は、第１実施形態に係る情報処理装置１００と比較して、再生履歴管理部２０２と履歴プレイリスト生成部２０４とをさらに備える。再生履歴管理部２０２は、楽曲再生部１１０が再生した楽曲（以下、再生履歴楽曲ともいう）を記憶するものである。また履歴プレイリスト生成部２０４は、再生履歴管理部２０２が記憶している再生履歴に基づいて、新しいプレイリストを生成するものである。以下再生履歴楽曲を利用した、本実施形態の特徴的部分を中心に説明する。
【００５７】
（再生履歴管理部２０２）
再生履歴管理部２０２は、上述のように楽曲再生部１１０で過去に再生された楽曲を再生履歴として管理する。このとき再生履歴管理部２０２は、楽曲再生部１１０が再生した楽曲のメタデータを保存するのではなく、楽曲データベース１０２に保存されている楽曲再生部１１０が再生した再生履歴楽曲の保存先を記憶しておくこともできる。これにより、再生履歴管理部２０２は、表示部２０６で再生履歴を表示する際など必要に応じて、楽曲データベース１０２から再生履歴楽曲の情報を取得することができる。ユーザが例えば、操作入力部などを介して再生履歴表示モードなどを選択した場合、再生履歴管理部２０２は、再生履歴楽曲ファイルを楽曲データベース１０２から取得し、当該再生履歴楽曲が属するプレイリスト（以下、履歴プレイリストともいう）をプレイリストデータベース１０４から取得する。その後、表示部２０６は、再生履歴管理部２０２が取得した再生履歴楽曲および履歴プレイリストを表示することができる。
【００５８】
以下に、ユーザにより再生履歴表示モードが選択された場合の表示部２０６の表示例を、図１１を参照して説明する。図１１は、ユーザにより再生履歴表示モードが選択された場合の表示部２０６の表示の一例を示す説明図である。
【００５９】
図１１に示す一例では、楽曲再生部１１０は、これまでに楽曲Ａ１、Ａ２、Ｃ１、Ｂ１、Ｂ２、Ｂ３、Ｅ１、Ｅ２を再生している。また楽曲再生部１１０は、現在楽曲Ｄ１を再生中であり、次に再生する予定の楽曲は楽曲Ｄ１と同じプレイリストＤに属する楽曲Ｄ２を再生予定である。さらに候補楽曲抽出部２１２は、再生中の楽曲Ｄ１と関連する候補楽曲Ｆ１およびＧ１を抽出している。ここでユーザにより、操作入力部などを介して再生履歴表示モードなどが選択された場合、表示部２０６は、図１１に示すように、現在再生中の楽曲Ｄ１および次曲候補の楽曲Ｄ２、Ｆ１、Ｇ１と、過去に再生した少なくとも１以上の楽曲の履歴を一覧表示する。これにより、ユーザは自分が過去に聴いた楽曲を視覚的に認識することができる。
【００６０】
なお、図１１に示す例は、表示部２０６における履歴表示を説明する上での一例であり、これに限定されるものではない。例えば、表示部２０６は、再生履歴楽曲の数に応じて自動で表示範囲を調整することもできる。すなわち、表示部２０６は、再生履歴楽曲の数が多い場合には、再生履歴をズームアウトして縮小表示して多くの再生履歴楽曲を表示することができ、再生履歴楽曲の数が少ない場合には、再生履歴をズームインして拡大表示することもできる。また、例えばユーザの操作入力に応じて、所定の再生履歴楽曲を拡大表示することもでき、より多くの再生履歴を表示するために縮小表示することもできる。さらに、表示部２０６は、図１１に示す例のように楽曲名を表示するだけでなく、ジャケット写真、アーティスト名、ジャンルなどの拡張情報を併せて表示することも当然に可能である。
【００６１】
次に再生履歴を利用したプレイリストの切り替えについて図１２を参照して説明する。図１２は、プレイリスト切り替え部２０８が、再生履歴に基づいて異なるプレイリストに切り替える一例を示す説明図である。
【００６２】
図１２に示すように、プレイリスト切り替え部２０８によりプレイリストが切り替えられながら、楽曲再生部１１０により楽曲Ａ１、Ａ２、Ｃ１、Ｂ１、Ｂ２、Ｂ３、Ｅ１、Ｅ２、Ｄ１が再生され、現在プレイリストＤに属する楽曲Ｄ２が再生されている場合を仮定する。ユーザは、再生履歴表示モードにおいて、例えば、タッチパネル、操作ボタンなどの操作入力部を介して再生履歴楽曲の中から任意の楽曲を選択することができる。これは、例えばユーザがもう一度過去に聴いた楽曲を聴きたい場合や、過去に聴いた楽曲の拡張情報などを調べたい場合などに利用されることが想定される。図１２は、ユーザが再生履歴楽曲の中から楽曲Ｂ２を選択した場合の例である。
【００６３】
ユーザが再生履歴楽曲の中から楽曲Ｂ２を選択した場合、候補楽曲抽出部２１２は、選択された楽曲Ｂ２と関連する少なくとも１以上の楽曲（以下履歴候補楽曲ともいう）を、上述されたように特徴量や拡張情報などに基づいて楽曲データベース１０２から抽出する。図１２に示す例では、候補楽曲抽出部２１２は、履歴候補楽曲Ｈ１を抽出している。さらにプレイリスト抽出部２１４は、履歴候補楽曲Ｈ１が属しているプレイリストＨを、プレイリストデータベース１０４から抽出する。このとき、表示部２０６は、ユーザが選択した楽曲Ｂ２と関連する履歴候補楽曲Ｈ１と、履歴候補楽曲Ｈ１が属しているプレイリストＨを表示する。これによりユーザは、再生履歴楽曲の中から自分が興味を示した楽曲Ｂ２に関連する楽曲Ｈ１および当該楽曲Ｈ１が属しているプレイリストＨを自動で認識することができる。なお、本実施形態においてプレイリスト抽出部２１４によって抽出される、履歴候補楽曲が属しているプレイリストは、本発明の第３のプレイリストに相当するものである。
【００６４】
ここで、ユーザが履歴候補楽曲Ｈ１を選択した場合、再生中の楽曲Ｄ２の再生終了後、またはユーザによる操作入力部を介した再生指示が入力された場合、楽曲再生部１１０は楽曲Ｈ１の再生を開始する。また、楽曲Ｈ１は、楽曲Ｈ２、Ｈ３、Ｈ４などから構成されるプレイリストＨに属している。したがって、プレイリスト切り替え部２０８は、楽曲再生部１１０が再生するプレイリストを、再生中のプレイリストＤ（第１のプレイリスト）からプレイリストＨ（第３のプレイリスト）に切り替える。その後、楽曲再生部１１０は、プレイリストＨに属する楽曲Ｈ１、Ｈ２、Ｈ３、Ｈ４などを順次再生していくこととなる。同様にプレイリストＨを再生中に、過去に再生した楽曲Ｈ３を選択し、楽曲Ｈ３と関連する楽曲Ｋ１が属するプレイリストＫに移行することもできる。
【００６５】
このように、候補楽曲抽出部２１２は、任意の再生履歴楽曲に関連する楽曲を履歴候補楽曲として楽曲データベース１０２から抽出することができる。また、プレイリスト抽出部２１４は、履歴候補楽曲が属するプレイリストをプレイリストデータベース１０４から抽出することができる。さらに、プレイリスト切り替え部２０８は、楽曲再生部１１０が再生するプレイリスト（第１のプレイリスト）を、任意の再生履歴楽曲に関連する履歴候補楽曲が属するプレイリスト（第３のプレイリスト）に切り替えることができる。これにより、ユーザは再生履歴楽曲の中から自分が興味を示した楽曲と関連する楽曲が属するプレイリストを聴く機会を得ることができる。すなわち、第２実施形態に係る情報処理装置は、再生履歴楽曲の中からユーザが興味を示した楽曲に基づいて、ユーザに対して、再生中のプレイリストとは異なるプレイリストへ誘導することが可能である。
【００６６】
（履歴プレイリスト生成部２０４）
次に第２実施形態に係る履歴プレイリスト生成部２０４による新規プレイリストの生成について、図１３を参照して説明する。図１３は、履歴プレイリスト生成部２０４による新規プレイリストの生成を説明するための概念図である。
【００６７】
図１３に示すように、プレイリスト切り替え部２０８によりプレイリストが切り替えられながら、楽曲再生部１１０により楽曲Ａ１、Ａ２、Ｃ１、Ｂ１、Ｂ２、Ｂ３、Ｅ１、Ｅ２が再生され、現在プレイリストＤに属する楽曲Ｄ１が再生されている場合を仮定する。図１３から、プレイリスト切り替え部２０８は、プレイリストＡ、プレイリストＣ、プレイリストＢ、プレイリストＥ、プレイリストＤの順にプレイリストを切り替え、楽曲再生部１１０が、複数のプレイリストにまたがって楽曲を再生していることがわかる。これは、例えばユーザが、第２実施形態に係る情報処理装置により提供された異なるプレイリストへの誘導に共感し、プレイリストの切り替えを行ったことが想定される。すなわち、この複数のプレイリストをまたがって再生された楽曲は、ユーザの楽曲嗜好を表しているとも考えられる。
【００６８】
ここで履歴プレイリスト生成部２０４は、楽曲再生部１１０が複数のプレイリストにまたがって再生した楽曲から構成される新しいプレイリストを生成する。図１３に示す例では、履歴プレイリスト生成部２０４は、楽曲再生部１１０が複数のプレイリストにまたがって再生した楽曲Ａ１、Ａ２、Ｃ１、Ｂ１、Ｂ２、Ｂ３、Ｅ１、Ｅ２、Ｄ１から構成されるプレイリストＮを新たに自動で生成する。また、履歴プレイリスト生成部２０４は、生成したプレイリストＮをプレイリストデータベース１０４に格納する。その後、楽曲再生部１１０が新しい楽曲を再生するたびに、履歴プレイリスト生成部２０４は、自動でプレイリストＮを更新していくことができる。
【００６９】
このようにして新たに生成されたプレイリストＮは、ユーザの楽曲嗜好を反映して生成されたものといえる。したがって、ユーザは、今後楽曲再生部１１０が再生するプレイリストとして、ユーザの楽曲嗜好を反映したプレイリストＮを選択することもできる。すなわち、第２実施形態に係る情報処理装置２００は、再生履歴楽曲に基づいて新しいプレイリストを生成し、ユーザに対して、再生中のプレイリストとは異なる、ユーザの嗜好をより反映したプレイリストへ誘導することが可能である。
【００７０】
なお、図１３に示した例は、本実施形態を説明する上での一例であり、これに限定されるものではない。例えば、履歴プレイリスト生成部２０４が自動でプレイリストを生成するのみでなく、ユーザが再生履歴楽曲の中から任意の範囲を選択して新しいプレイリストを生成することも当然に可能である。この場合、ユーザは、再生履歴楽曲の中から気に入らなかった楽曲のみを削除してプレイリストを生成し、または特に気に入った楽曲が再生された範囲のみを選択してプレイリストを生成することもできる。また、このようにして生成されたプレイリストは、例えば、携帯型音楽プレイヤー、ＰＤＡ、パーソナルコンピュータなどの他の情報処理装置に転送することも当然に可能である。この場合、ユーザは、本実施形態に係る情報処理装置２００により生成された、ユーザの嗜好をより反映したプレイリストを、他の情報処理装置などで再生して聴くこともできる。
【００７１】
以上説明したように、第２実施形態に係る情報処理装置２００は、再生履歴管理部２０２が再生履歴楽曲を管理し、表示部２０６を介してユーザに再生履歴楽曲を認識させることができる。さらに第２実施形態に係る情報処理装置２００は、候補楽曲抽出部２１２が再生履歴楽曲の中からユーザが興味を示した楽曲と関連する履歴候補楽曲を抽出し、表示部２０６を介してユーザに当該候補楽曲を認識させることができる。この結果、第２実施形態に係る情報処理装置２００は、ユーザに対して、再生中のプレイリストとは異なるプレイリストへ誘導することが可能となる。さらに、第２実施形態に係る情報処理装置２００は、履歴プレイリスト生成部２１０が、再生履歴楽曲に基づいてユーザの楽曲嗜好を反映する新しいプレイリストを生成することができる。この結果、第２実施形態に係る情報処理装置２００は、ユーザに対して、再生中のプレイリストとは異なる、ユーザの嗜好をより反映したプレイリストへ誘導することが可能となる。
【００７２】
（第３実施形態）
第３実施形態に係る情報処理装置３００は、候補楽曲抽出部１１８が抽出した候補楽曲がいずれのプレイリストにも属していない場合においても、別のプレイリストに誘導する点で、上記実施形態に係る情報処理装置１００、２００と異なる。したがって、この相違点を中心に以下説明する。
【００７３】
図１４は、第３実施形態に係る情報処理装置３００の機能構成を説明する機能ブロック図である。なお、楽曲データベース１０２に保存されている楽曲ファイルに基づいてプレイリストを生成等するための特徴量解析部１０６およびプレイリスト分類部１０８については、第１実施形態に係る情報処理装置１００と同一であるため、図１４においては省略されている。
【００７４】
図１４に示すように、第３実施形態に係る情報処理装置３００は、第１実施形態に係る情報処理装置１００と比較して、新プレイリスト生成部３０２をさらに備える。新プレイリスト生成部３０２は、候補楽曲抽出部１１８により抽出された候補楽曲がいずれのプレイリストにも属していない場合において、当該候補楽曲を含む新しいプレイリストを生成するものである。以下、候補楽曲がいずれのプレイリストにも属していない場合における、第３実施形態に係る情報処理装置３００の特徴的部分を中心に説明する。
【００７５】
上述されたように、楽曲データベース１０２に保存されている楽曲は、プレイリスト分類部１０８によって、楽曲の特徴量やアーティスト名などの拡張情報などに基づいて任意のプレイリストに分類される。しかし、例えば、同一アーティストの楽曲、同一ジャンルの楽曲、類似した特徴量を有する楽曲などがそれぞれ１曲しか楽曲データベース１０２に保存されていない場合もある。したがって、例えば、プレイリスト分類部１０８が、拡張情報であるアーティスト名に基づいてプレイリストを分類するように設定されている場合、同一アーティストの楽曲が楽曲データベース１０２に１曲しか保存されていない場合も想定される。一方、プレイリスト分類部１０８が、楽曲の特徴量に基づいてプレイリストを分類するように設定されている場合に、類似する楽曲が楽曲データベース１０２に保存されていない場合なども想定される。このように、プレイリスト分類部１０８の分類基準により、ある楽曲がいずれのプレイリストにも属していない場合が想定される。これは、例えば新しいシングルＣＤなどの楽曲が楽曲データベース１０２に保存された場合、またはユーザがプレイリストの自動分類機能をオフにしている場合などに特に想定される。このような場合において、第３実施形態に係る情報処理装置３００が、ユーザに対して、どのようにして再生中のプレイリストとは異なるプレイリストへ誘導するかを図１５〜１７を参照して説明する。
【００７６】
図１５は、候補楽曲抽出部１１８が楽曲データベース１０２から抽出した候補楽曲がいずれのプレイリストにも属していない場合において、再生中のプレイリストとは異なる既存のプレイリストへ移行する一例を示す説明図である。
【００７７】
図１５に示すように、再生楽曲部１１０は、現在楽曲Ａ２を再生中であり、楽曲Ａ２はプレイリストＡに属しているものと仮定する。この場合、楽曲再生部１１０は通常、楽曲Ａ２の再生終了後には、プレイリストＡに属している楽曲Ａ３、Ａ４、Ａ５、Ａ６などを順次再生していくこととなる。ここで、候補楽曲抽出部１１８は、再生中の楽曲Ａ２と関連する楽曲Ｘ１を、特徴量や拡張情報などに基づいて楽曲データベース１０２から抽出する。ところが楽曲Ｘ１はプレイリストデータベース１０４に保存されているいずれのプレイリストにも属していない。したがって、プレイリスト抽出部１２０は、プレイリストデータベース１０４からプレイリスト（第２のプレイリスト）を抽出することができない。ここでユーザが次に再生される楽曲として候補楽曲Ｘ１を選択すると、楽曲再生部１１０は、楽曲Ａ２の再生終了後に楽曲Ｘ１を再生する。しかしながら、楽曲Ｘ１はいずれのプレイリストにも属していないため、プレイリスト切り替え部１１６は、プレイリストを切り替えることができない。したがって、楽曲再生部１１０は、楽曲Ｘ１の再生終了後には、楽曲の再生自体を終了するか、もしくはリピート機能などにより再度プレイリストＡを再生することとなる。この場合、プレイリストＡが繰り返し再生されることとなり、ユーザが新しいプレイリストを選択する契機が薄くなってしまう。
【００７８】
ここで、第３実施形態に係る情報処理装置３００は、以下の処理によりユーザに対して、異なるプレイリストへ誘導することができる。
【００７９】
ユーザがいずれのプレイリストにも属していない楽曲を選曲した場合、候補楽曲抽出部１１８は、当該楽曲と関連し、かついずれかのプレイリストに属する楽曲を楽曲データベース１０４から抽出する。図１５に示す例では、候補楽曲抽出部１１８は、いずれのプレイリストにも属していない楽曲Ｘ１に関連し、プレイリストＢに属している楽曲Ｂ１を抽出する。例えば、プレイリスト分類部１０８が楽曲Ｘ１を、アーティスト名を基準としてプレイリスト分類した場合には、再生候補抽出部１１４は、楽曲の特徴量、発売年などの、アーティスト名とは異なる別の観点から楽曲Ｘ１と関連する楽曲Ｂ１を抽出する。このように候補楽曲抽出部１１８は、いずれかのプレイリストに属し、かつ楽曲Ｘ１と関連する少なくとも１以上の楽曲を、種々の観点から抽出することとができる。さらに、プレイリスト抽出部１２０は、抽出された楽曲Ｂ１が属しているプレイリストＢをプレイリストデータベース１０４から抽出する。なお、本実施形態において、プレイリスト抽出部１２０によって抽出される、いずれのプレイリストにも属していない候補楽曲に関連する楽曲が属しているプレイリストは、本発明の第４のプレイリストに相当するものである。
【００８０】
この場合、プレイリスト切り替え部３０４は、楽曲再生部１１０が再生するプレイリストを、再生中のプレイリストＡ（第１のプレイリスト）からプレイリストＢ（第４のプレイリスト）に切り替える。これにより、楽曲再生部１１０は、楽曲Ｘ１の再生終了後、あるいはユーザが次曲選択などを入力することにより、楽曲Ｂ１の再生を開始する。その後楽曲再生部１１０は、プレイリストＢに属する楽曲Ｂ２、Ｂ３、Ｂ４、Ｂ５、Ｂ６などを順次再生していくこととなる。また、抽出された楽曲Ｂ１およびプレイリストＢは、表示部１１２によって表示され、ユーザは今後再生される楽曲およびプレイリストを視覚的に認識することも可能である。
【００８１】
なお、図１５においては、再生中のプレイリストＡからいずれのプレイリストにも属していない１の楽曲Ｘ１のみを介してプレイリストＢに切り替える例について説明したが、これに限定されるものではない。例えば、プレイリストＡからプレイリストＢに切り替える前に、２以上のいずれのプレイリストにも属していない楽曲を再生することも可能である。すなわち、いずれのプレイリストにも属さない複数の楽曲を介して、プレイリストを自動で切り替えることも当然に可能である。
【００８２】
この結果第３実施形態に係る情報処理装置３００は、ユーザがいずれのプレイリストにも属していない楽曲を選択した場合においても、ユーザに対して、プレイリストデータベース１０４に保存されている別のプレイリストに自然に誘導することが可能である。
【００８３】
次に上記と同様にユーザがいずれのプレイリストにも属していない楽曲を選択した場合において、当該楽曲を含む新しいプレイリストを生成する新プレイリスト生成部３０２について説明する。図１６は、新プレイリスト生成部３０２が、いずれのプレイリストにも属していない楽曲に基づいて新しいプレイリストを生成する一例を示す説明図である。
【００８４】
図１６に示す例では、図１５に示した例と同様に、プレイリストＡに属する楽曲Ａ２を再生中に、候補楽曲抽出部１１８が、楽曲Ａ２に関連し、かついずれのプレイリストにも属していない楽曲Ｘ１を抽出した場合を仮定している。さらにこのとき、ユーザが次に再生する楽曲として、候補楽曲Ｘ１を選択した場合を仮定する。このとき図１５を参照して説明したように、第３実施形態に係る情報処理装置３００は、楽曲Ｘ１に類似する楽曲Ｂ１を含むプレイリストＢへ自然に切り替えることができる。さらに第３実施形態に係る情報処理装置３００は、新プレイリスト生成部３０２を備えることにより、新しいプレイリストを生成し、当該新プレイリストへ自然に切り替えることも可能とする。
【００８５】
新プレイリスト生成部３０２は、プレイリストデータベース１０４に保存されているいずれのプレイリストにも属していない楽曲を含む複数の楽曲を関連付けた新しいプレイリストを自動で生成するものである。図１６に示す例では、いずれのプレイリストにも属していない楽曲Ｘ１を含むプレイリストＸを自動で生成している。新プレイリスト生成部３０２は、例えば、楽曲Ｘ１の特徴量や、アーティスト名、アルバム、発売年などの拡張情報などの種々の基準に基づいて新しいプレイリストＸを生成することができる。例えば、プレイリスト分類部１０８がアーティスト名を基準としてプレイリストを生成・分類等した場合、楽曲Ｘ１と同一アーティストの楽曲が楽曲データベース１０２に保存されていなければ、楽曲Ｘ１はいずれのプレイリストにも属さないこととなる場合がある。このような場合、新プレイリスト生成部３０２は、楽曲の特徴量、発売年などの、アーティスト名とは異なる別の観点から楽曲Ｘ１と関連する楽曲を楽曲データベース１０２から抽出し、新しいプレイリストＸを生成する。また、例えば、プレイリスト分類部１０８が特徴量を基準としてプレイリストを生成・分類等した場合、楽曲Ｘ１と特徴量が類似する楽曲が楽曲データベース１０２に保存されていなければ、楽曲Ｘ１はいずれのプレイリストにも属さないこととなる場合もある。このような場合、新プレイリスト生成部３０２は、楽曲のアーティスト名、発売年などの、特徴量とは異なる別の観点から楽曲Ｘ１と関連する楽曲を抽出し、新しいプレイリストＸを生成する。このように新プレイリスト生成部３０２は、いずれのプレイリストにも属していない楽曲Ｘ１と関連する楽曲を種々の観点から楽曲データベース１０２から抽出し、楽曲Ｘ１を含む新しいプレイリストを生成することができる。なお、本実施形態において、新プレイリスト生成部３０２によって生成される新しいプレイリストは、本発明の第５のプレイリストに相当するものである。
【００８６】
この場合、プレイリスト切り替え部３０４は、楽曲再生部１１０が再生するプレイリストを、プレイリストＡ（第１のプレイリスト）からプレイリストＸ（第５のプレイリスト）に切り替える。これにより、楽曲再生部１１０は、楽曲Ｘ１の再生終了後、あるいはユーザが次曲選択などを入力することにより、楽曲Ｘ２の再生を開始する。その後楽曲再生部１１０は、プレイリストＸに属する楽曲Ｘ２、Ｘ３、Ｘ４、Ｘ５、Ｘ６などを順次再生していくこととなる。また、生成されたプレイリストＸおよびプレイリストＸに属する楽曲は、表示部１１２によって表示され、ユーザは今後再生される楽曲およびプレイリストを視覚的に認識することも可能である。
【００８７】
その後プレイリストＸに含まれる楽曲Ｘ３の再生中に、同様にいずれのプレイリストにも属していない楽曲Ｙ１が選択された場合、新プレイリスト生成部３０２は、楽曲Ｙ１を含む複数の楽曲を関連付けた新しいプレイリストＹを生成することができる。
【００８８】
次に、新プレイリスト生成部３０２による新しいプレイリストの生成の別の例について図１７を参照して説明する。図１７は、新プレイリスト生成部３０２が、いずれのプレイリストにも属していない楽曲に基づいて新しいプレイリストを生成する別の例を示す説明図である。
【００８９】
図１７に示す例では、新プレイリスト生成部３０２は、図１６に示した例と同様に、いずれのプレイリストにも属していない楽曲Ｘ１を含む複数の楽曲を関連付けた新しいプレイリストＰを自動的に生成する。ここで図１７に示す例は、新プレイリスト生成部３０２が、楽曲Ｘ１のみならず、過去に再生された少なくとも１以上の楽曲の特徴量や拡張情報などに基づいて新しいプレイリストＰを生成している点で、図１６に示した例と異なる。すなわち、新プレイリスト生成部３０２は、いずれのプレイリストにも属していない楽曲Ｘ１と過去に再生された楽曲Ａ１およびＡ２との特徴量や、アーティスト名、アルバム、発売年などの拡張情報に基づいて新しいプレイリストＰを生成している。
【００９０】
例えば、楽曲Ａ１、Ａ２、Ｘ１は、アーティスト名も作曲者もアルバム名も異なるが、発売年が同一である場合には、新プレイリスト生成部３０２は、当該発売年と同一の発売年の楽曲Ｐ１、Ｐ２などを抽出し、新しいプレイリストＰを生成する。また、楽曲Ａ１、Ａ２、Ｘ１の拡張情報に共通点は無いが、特徴量解析部１０６による解析結果に共通点がある場合、すなわち、曲自体の雰囲気やジャンルが共通する場合、類似する特徴量を有する楽曲Ｐ１、Ｐ２などを抽出し、新しいプレイリストＰを生成することもできる。このように、新プレイリスト生成部３０２は、いずれのプレイリストにも属していない楽曲と過去に再生された少なくとも１以上の楽曲とに基づいて、種々の観点から新しいプレイリストを生成することができる。
【００９１】
この場合、プレイリスト切り替え部３０４は、楽曲再生部１１０が再生するプレイリストを、プレイリストＡ（第１のプレイリスト）からプレイリストＰ（第５のプレイリスト）に切り替える。これにより、楽曲再生部１１０は、楽曲Ｘ１の再生終了後、あるいはユーザが次曲選択などを入力することにより、楽曲Ｐ１の再生を開始する。その後楽曲再生部１１０は、プレイリストＰに属する楽曲Ｐ２、Ｐ３、Ｐ４、Ｐ５、Ｐ６などを順次再生していくこととなる。また、生成されたプレイリストＰおよびプレイリストＰに属する楽曲は、表示部１１２によって表示され、ユーザは今後再生される楽曲およびプレイリストを視覚的に認識することも可能である。
【００９２】
その後楽曲Ｐ２の再生中に、いずれのプレイリストにも属していない楽曲Ｙ１が選択された場合、新プレイリスト生成部３０２は同様に、楽曲Ｙ１を含む複数の楽曲を関連付けたプレイリストＱを生成する。このとき新プレイリスト生成部３０２は、楽曲Ｙ１および過去に再生された楽曲Ａ１、Ａ２、Ｘ１、Ｐ１、Ｐ２の特徴量や拡張情報などが関連する楽曲Ｑ１、Ｑ２、Ｑ３などを楽曲データベース１０２から抽出し、楽曲Ｙ１を含む複数の楽曲を関連付けた新しいプレイリストＱを生成する。
【００９３】
また、新プレイリスト生成部３０２は、生成したプレイリストをプレイリストデータベース１０４に格納する。したがって、ユーザは、今後楽曲再生部１１０が再生するプレイリストとして、本来いずれのプレイリストにも属していなかった楽曲を含む複数の楽曲を関連付けた新しいプレイリストを選択することもできる。
【００９４】
このようにして生成された新しいプレイリストは、ユーザが過去に聴いた楽曲の特徴量や拡張情報などを考慮して生成されたものである。したがって、新プレイリスト生成部３０２により生成されたプレイリストは、ユーザの楽曲嗜好を強く反映したプレイリストであるといえる。この結果、第３実施形態に係る情報処理装置３００は、ユーザがいずれのプレイリストにも属していない楽曲を選択した場合においても、ユーザの楽曲嗜好を強く反映したプレイリストを自動的に生成し、当該プレイリストへ誘導することが可能である。
【００９５】
なお、図１５〜１７に示す説明図は、本実施形態を説明する上での一例であり、これに限定されるものではない。例えば、上記説明図に示された楽曲数以上の楽曲からプレイリストを生成することも可能であり、上記拡張情報以外の他の観点からプレイリストを生成等することも当然に可能である。また、第３実施形態に係る情報処理装置３００は、図１５〜図１７に示したいずれかのプレイリスト切り替え方法を備えることも、複数のプレイリスト切り替え方法を備えることも可能である。第３実施形態に係る情報処理装置３００が上記複数のプレイリスト切り替え方法を備える場合には、例えばユーザが任意に切り替え方法を選択することができる設定機能などを備えてもよい。
【００９６】
以上説明したように、第３実施形態に係る情報処理装置３００は、ユーザが選択した楽曲がいずれのプレイリストにも属していない場合においても、プレイリストデータベース１０４に保存されている既存の別のプレイリスト（第４のプレイリスト）に自動で切り替えることができる。また、第３実施形態に係る情報処理装置３００は、ユーザが選択した楽曲がいずれのプレイリストにも属していない場合においても、当該楽曲の特徴量や拡張情報などに基づいて、当該楽曲を含む複数の楽曲を関連付けた新しいプレイリスト（第５のプレイリスト）を自動で生成することもできる。さらに、第３実施形態に係る情報処理装置３００は、ユーザが選択したいずれのプレイリストにも属していない楽曲および過去に再生された楽曲の特徴量や拡張情報などに基づいて、当該選択された楽曲を含む複数の楽曲を関連付けた新しいプレイリストを自動で生成することもできる。この結果、第３実施形態に係る情報処理装置３００は、ユーザに対して、新しいプレイリスト（第５のプレイリスト）へ誘導することが可能となる。
【００９７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９８】
例えば、上記実施形態において参照した各図面は、上記実施形態を説明する上での一例であり、本発明はかかる例に限定されない。例えば、上記実施形態において参照した各図面と異なる楽曲数、プレイリスト数、ジャケット写真、特徴量、拡張情報、表示画面配置等であってもよい。
【００９９】
また、上記実施形態においては、音楽ファイルを再生する情報処理装置について中心に説明したが本発明はこれに限定されない。例えば、ニュース情報、英会話、動画ファイルなどの種々のコンテンツを再生することのできる、携帯電話、ＰＤＡ、パーソナルコンピュータ、テレビゲーム装置などの各種の情報処理装置に適用することも当然に可能である。
【図面の簡単な説明】
【０１００】
【図１】第１実施形態に係る情報処理装置１００の機能ブロック図である。
【図２】第１実施形態に係る楽曲再生部１１０によるプレイリストの再生および再生候補抽出部１１４による候補楽曲の抽出の一例を説明する概念図である。
【図３】第１実施形態に係るプレイリスト切り替え部１１６によるプレイリスト切り替えの一例を示す説明図である。
【図４】第１実施形態に係る楽曲再生部１１０によるプレイリストの再生および再生候補抽出部１１４による候補楽曲の抽出の別の例を示す説明図である。
【図５】第１実施形態に係るプレイリスト切り替え部１１６によるプレイリスト切り替えの別の例を示す説明図である。
【図６】第１実施形態に係る表示部１１２の表示の一例を示す説明図である。
【図７】第１実施形態に係る表示部１１２の表示の別の例を示す説明図である。
【図８】第１実施形態に係る表示部１１２の表示のさらに別の例を示す説明図である。
【図９】第１実施形態に係る表示部１１２のサムネール表示の一例を示す説明図である。
【図１０】第２実施形態に係る情報処理装置２００の機能ブロック図である。
【図１１】第２実施形態に係る表示部２０６の再生履歴表示モードにおける表示の一例を示す説明図である。
【図１２】第２実施形態に係るプレイリスト切り替え部２０８による、再生履歴に基づいたプレイリスト切り替えの一例を示す説明図である。
【図１３】第２実施形態に係る履歴プレイリスト生成部２０４による、新規プレイリストの生成を説明するための概念図である。
【図１４】第３実施形態に係る情報処理装置３００の機能ブロック図である。
【図１５】第３実施形態に係るプレイリスト切り替え部３０４による、候補楽曲がいずれのプレイリストにも属していない場合における既存のプレイリストへの切り替え一例を示す説明図である。
【図１６】第３実施形態に係る新プレイリスト生成部３０２による新しいプレイリスト生成の一例を示す説明図である。
【図１７】第３実施形態に係る新プレイリスト生成部３０２による新しいプレイリスト生成の別の例を示す説明図である。
【符号の説明】
【０１０１】
１００、２００、３００    情報処理装置
１０２    楽曲データベース
１０４    プレイリストデータベース
１０６    特徴量解析部
１０８    プレイリスト分類部
１１０    楽曲再生部
１１２、２０６    表示部
１１４、２１０    再生候補抽出部
１１６、２０８、３０４    プレイリスト切り替え部
１１８、２１２    候補楽曲抽出部
１２０、２１４    プレイリスト抽出部
３０２    新プレイリスト生成部
６０２    再生楽曲表示部
６０４    次曲候補表示部
６０６    次曲候補選択部
【図１】
2010003368.tif 000003
【図２】
2010003368.tif 000004
【図３】
2010003368.tif 000005
【図４】
2010003368.tif 000006
【図５】
2010003368.tif 000007
【図６】
2010003368.tif 000008
【図７】
2010003368.tif 000009
【図８】
2010003368.tif 000010
【図９】
2010003368.tif 000011
【図１０】
2010003368.tif 000012
【図１１】
2010003368.tif 000013
【図１２】
2010003368.tif 000014
【図１３】
2010003368.tif 000015
【図１４】
2010003368.tif 000016
【図１５】
2010003368.tif 000017
【図１６】
2010003368.tif 000018
【図１７】
2010003368.tif 000019